(57)【要約】【課題】  他の目的で使用して使用済みになった廃棄される袋（例，スーパー等のビニール袋や、ポリ袋等。）に、水切り穴を開ける従来の穴開け機の発明は、ハンディー性、安全性、簡便性、円滑性、迅速性、水切り穴の有効性の持続、コンパクト性等において、それぞれ、いずれかの点で難点や問題点があった。【解決手段】  第三種、第一種てこ等を用いた手持ち式ステープラ、ハトメパンチ等の本体の力点であるハンドルを押して離したら、自動的に元に戻るバネの原理を用いた機構の機能を流用し、それらの作用点に数本のバネ８で囲われた釘針６を設け、更に、それらに相対する反作用点に、それらを受け入れる浅い溝のバネ受溝１２、釘針受穴１１、等を設けたバネ受台９を設け、そのバネ受台に袋を乗せて、釘針６が袋面に突き刺さる時、釘針座面７とバネ受台上面１０が平行になるように、バネ受台９を設けた水切り袋作製用穴開け機で上述の課題を解決する事が出来る。【選択図】図３
2010280053.tif 000002
【特許請求の範囲】
【請求項１】
てこの原理を用いて、物を挟んだり、切ったり、穴を開けたり、押えたり、止めたりする事を目的とする道具で、その本体の機構に、その力点（以下、ハンドルと称す。）を押して離したら、その反作用で自動的に元に戻るバネの原理を用いた機構を持つハンディーな道具の第三種てこを用いた物（その内の一例である手持ち式ステープラ。）、及び、第一種てこを用いた物（その内の一例であるハトメパンチ。）等のそれらの本体の機構のその機能を流用し、それらの作用点（手持ち式ステープラの場合は、支点から最も離れた所にあるつづり針を押し出す押刃、又、ハトメパンちの場合は、ハトメ押し台等の代り。）に、それらの本体のハンドルを１回押す事で、その袋に数ヶ所の水切り穴を開ける事が出来る、数本の同じ長さの先端を鋭く尖らせた釘の先の部分（以下、これを釘針と称す。）を取付け面（以下、釘針座面と称す。）に直角に、又は、釘針が袋面に突き刺さる時の釘針全体の抵抗を時間的に分散し、より小さい力で釘針が袋面に突き刺さるようにする為に、数本の釘針の内の一部の釘針を数ミリ短くして設け、その釘針の周囲には、釘針の先端よりもわずかに長いバネを設け（手持ち式ステープラの場合は、そのバネの代りに、ハンドルとベースの間、ハトメパンチの場合は、ハトメ押し台とハトメ受け台の間等に、釘針の通る穴を設けた袋押え、及び、袋外しの為のバネの原理を用いた板バネを設けても同じ機能を果たす。）、そのバネは、先端が鋭く尖った釘針の安全性を確保する為のカバーの機能を持ち、又、それらのハンドルを押して釘針が袋面に突き刺さる直前に、釘針が突き刺さる袋面の周囲を事前にバネの端部で、直接、押え付けて、袋面がずれない状態にし、その結果、釘針が袋面に直角に突き刺さる時、バネの先端で、直接、押えた内側の袋面部分に張りを持たせた状態で突き刺す事が出来て、袋面に水切り穴が開いた後に、ふさがりにくい、有効性が持続する水切り穴を開ける事が出来る状態にする機能をも持ち、更に、その張りを持った袋面部分に釘針が直角に突き刺して、それらのハンドルから手を離した時に、釘針に刺さった袋面をバネの反作用で自動的に釘針から押し出す機能で、袋面が釘針に残ったり、引っ掛かったりする事なく、袋面が釘針から自動的に外れ、次に、一方の片手に袋を持ち、もう一方の片手でそれらの本体を持ったまま、それらを横移動し、又、それらのハンドルを押して水切り穴を開け、そして離し、又、それらを横移動する一連の反復動作で、ふさがりにくい、有効性が持続する水切り穴をハンディーに、簡単、円滑、且つ、迅速に、袋の好きな所に、好きな数だけ開ける事が出来る機能を持った水切り袋作製用穴開け機。
【請求項２】
請求項１に記載のそれらのハンディーな道具の作用点に相対する反作用点（第三種てこを用いた手持ち式ステープラの場合は、ハンドルの押刃で押された針を受けて、その針を曲げるベース部分の案内溝の付いた針曲げ台、又、第一種てこを用いたハトメパンチの場合は、ハトメ乗せ台等の代り。）に、請求項１に記載の作用点に設けられた数本のバネで囲われた釘針のバネを受け止め、又、押されたバネから露出した釘針を受け入れる釘針受穴を設けたバネ受台を設け、そのバネ受台上面には、バネの端部が、直接、袋面を押えてバネ受台上面に当った時、バネがすべったり、ずれたりしないで袋面をしっかり捕らえて、袋面に確実に張りを持たせる事が出来るように、釘針受穴の上面より低い半円形の断面をしたバネの端部を受け入れるドーナツ状の浅い溝のバネ受溝を釘針受穴の周囲に、又は、それと同じ機能をもたせる為に、外側にバネの端部を、内側に釘針を受け入れるバネ受台上面よりもわずかに飛び出したパイプを釘針受穴に設け、又、釘針の先端が袋面に突き刺さる時、釘針の周囲のバネの端部で、直接、袋面を押えて、張りを持たせた部分を、釘針が均等な力で刺し広げて、その結果、開けられた穴が元に戻りにくく、ふさがりにくい、有効性が持続する水切り穴を開ける事が出来るように、張りを持った袋面に直角に釘針を突き刺させる為に、バネ受台の上面を釘針座面に平行（釘針座面、袋面、及び、バネ受台上面ともそれぞれ平行。）になるようにそれらのバネ受台を設け、更に、第三種てこを用いた手持ち式ステープラには、その本体を横移動し易くする為に、そのバネ受台の下側に指先が入る穴、もしくは、指先が引っ掛かる指掛かりを設け、又、第一種てこを用いたハトメパンチには、その不使用時にハンドルが開くのを防ぐ為に、その本体にフック掛けの付いた開き止め金具を設けた請求項１に記載の水切り袋作製用穴開け機。
【請求項３】
請求項１に記載のバネには、更なる安全の為、又、それらの不使用時に、釘針、バネ等の全体を隠す為に、バネの長さの半分よりも少し長い、釘針を通す穴を設けたカバーをバネの先端に設け、その端部とわずかに噛み合うように、その端部を受け入れたバネの長さの半分よりも少し長い、バネ全体の根元を囲うカバーを釘針座面に設け、更に、請求項２に記載のバネ受台の上面に設けたバネ受溝の代りに、その機能と同様の機能を持たせる為に、バネの端部に設けたカバーの先端を受け入れるその形をした浅い穴をバネ受台の上面に設けた請求項１、及び、２に記載の水切り袋作製用穴開け機。
【請求項４】
請求項１に記載のハンディーな道具の力点であるハンドルを押して、請求項１、及び、３に記載の数本のバネで囲われた釘針が、請求項２、及び、３に記載のバネ受台の上の袋面に突き刺して、バネが押されて一番短くなった時、電池が組込まれた電子音の鳴る装置のスイッチも押されてスイッチが入り、通電して電子音の擬音が鳴る装置を設けた請求項１、２、及び、３に記載の水切り袋作製用穴開け機。
【請求項５】
請求項１に記載の道具で、その本体の機構に、その力点であるハンドルを押して離したら、その反作用で自動的に元に戻るバネの原理を用いた機構を持つ道具の第二種てこを用いた物（その内の一例である卓上式ステープラ。）のその本体の機構のその機能を流用し、その作用点（卓上式ステープラの場合は、つづり針を押し出す押刃。）に、請求項１に記載の数本のバネで囲われた釘針を、又、その作用点に相対する反作用点（卓上式ステープラの場合は、その針曲げ台。）に、請求項２に記載のバネ受台を設け、それらの関係を請求項１、及び、２に記載の状態を成り立たせるように設けた水切り袋作製用穴開け機。
【発明の詳細な説明】
【技術分野】
【０００１】  本発明は、家庭の台所で発生する生ゴミを捨てる際に、他の目的で使用して使用済みになった廃棄される袋（例、スーパー等のビニール袋や、ポリ袋等。）を再利用し、その袋の底に水を通す穴を開けてその生ゴミを入れ、溜めて置いて、その生ゴミの水を切る為の袋を作製する水切り袋作製用穴開け機に関する。
【背景技術】
【０００２】  従来、家庭の台所の生ゴミの水を切るには、市販されている水切り籠や水切り袋を使用したり、又、他の目的で使用して使用済みになった廃棄される袋を再利用し、その袋の底に竹串や爪楊枝等を刺し、水切り穴を開けて水切り袋を作成し、それを使用していた。【０００３】  上記の方法は、非経済的、非合理的、非能率的、非簡便的であり、それらを解決しようと幾つかの発明が成された。
【特許文献１】  特開平９−１０３９９８広報
【特許文献２】  特開２００１−１２１４９４広報
【特許文献３】  特開２００１−１９８８９１広報
【特許文献４】  特開２００６−７４０６広報
【特許文献５】  実用新案登録第３０５６７７９号広報
【特許文献６】  特開２０００−１５３４９９広報
【特許文献７】  実全平０２−０２４０００広報
【特許文献８】  実用新案登録第３０２４８１７号広報
【特許文献９】  実開平０６−０１７９２６広報
【特許文献１０】  実開平０２−０２３９９９広報
【特許文献１１】  実全昭６０−０９７３００広報
【発明の開示】
【発明が解決しようとする課題】
【０００４】  上記の幾つかの成された発明は、ハンディー性、安全性、簡便性、円滑性、迅速性、コンパクト性、水切り穴の有効性の持続等のいずれかの点において、それぞれ難点や問題点が有り、本発明は、それらの点を解決する事を目的とする水切り袋作製用穴開け機である。
【課題を解決するための手段】
【０００５】  本発明は、上記の目的を達成する為に下記の方法にてそれらの難点や問題点を解決する。【０００６】  てこの原理を用いて、物を挟んだり、切ったり、穴を開けたり、押えたり、止めたりする事を目的とする道具で、その本体の機構に、その力点（以下、ハンドルと称す。）を押して離したら、その反作用で自動的に元に戻るバネの原理を用いた機構を持つハンディーな道具の第三種てこを用いた物（その内の一例である手持ち式ステープラ。）、及び、第一種てこを用いた物（その内の一例であるハトメパンチ。）等のそれらの本体の機構のその機能を流用し、それらの作用点（手持ち式ステープラの場合は、支点から最も離れた所にあるつづり針を押し出す押刃、又、ハトメパンちの場合は、ハトメ押し台等の代り。）に、請求項１に記載の数本のバネで囲われた釘針、及び、請求項３に記載のカバーの設けられた釘針等を設け、更に、それらの作用点に相対する反作用点（手持ち式ステープラの場合は、ハンドルの押刃で押された針を受けて、その針を曲げるベース部分の案内溝の付いた針曲げ台、又、ハトメパンチの場合は、ハトメ乗せ台等の代り。）に、請求項２、及び、３に記載のバネ受台を設け、それらの関係を請求項１、２、及び、３に記載の状態を成り立たせるように設けた機構からなる水切り袋作製用穴開け機である。
【発明の効果】
【０００７】  請求項１に記載のハンディーな道具の本体の機構の機能を流用して、それらの作用点に設けた請求項１、及び、３に記載の数本のバネで囲われた釘針が、袋を挟んで、それらに相対する反作用点に設けた請求項２、及び、３に記載のバネ受溝、釘針受穴を設けたバネ受台上面に直角に突き刺さる事により、一方の片手に袋を持ち、もう一方の片手でそれらの本体を持ったまま、それらを横移動し、又、それらのハンドルを押して水切り穴を開け、そして離し、又、それらを横移動する一連の反復動作で、ふさがりにくい、有効性が持続する水切り穴をハンディーに、簡単、円滑、且つ、迅速に、袋の好きな所に、好きな数だけ開ける事ができる。
【発明を実施するための最良の形態】
【０００８】  請求項１に記載のハンディーな道具の本体の機構の機能を流用して、第三種てこを用いた物、又は、第一種てこを用いた物等の内の一例である手持ち式ステープラ図１、又は、ハトメパンチ図８等の押刃４、又は、ハトメ押し台１６等の代りに、請求項１、及び、３に記載の数本のバネ８で囲われた釘針６をそれらに設け、更に、その針曲げ台５、又は、ハトメ乗せ台１７等の代りに、請求項２、及び、３に記載のバネ受溝１２、釘針受穴１１を設けたバネ受台９を、バネ８が袋１３を押えて釘針６がバネ受台９の袋面１３に突き刺さる時に、釘針座面７、袋１３、及び、バネ受台上面１０がそれぞれ平行になるように設けた水切り袋作製用穴開け機である。
【図面の簡単な説明】
【０００９】
【図１】  手持ち式ステープラ斜視図（ＪＩＳ  Ｓ  ６０３５より引用。）。
【図２】  図１の本体の機構の機能を流用し、押刃、及び、針曲げ台等の代りに、請求項１に記載の数本のバネで囲われた釘針、及び、請求項２に記載のバネ受台等を設け、支点、作用点、及び、反作用点の位置関係により、釘針が袋面に直角に突き刺さる時、釘針座面とバネ受台上面が平行になる為に、バネ受台に角度を設けた本体が開いた状態の全体斜視図。
【図３】  図２の請求項１に記載の数本のバネで囲われた釘針部分と請求項２に記載のバネ受台部分の拡大斜視図。
【図４】  図２の釘針全体の抵抗を時間的に分散する為に、釘針の長さに違いを設けて本体が開いた状態の側面図。
【図５】  図４本体が袋を挟んで、釘針が袋面に直角に突き刺さる時、釘針座面、袋面、及び、バネ受台上面がそれぞれ平行な状態の時の側面図。
【図６】  釘針が袋面に直角に突き刺さる時、釘針座面とバネ受台上面が平行になる為に、バネ受台に角度を設けないで、支点、作用点、及び、反作用の位置関係を変えた本体が開いた状態の側面図。
【図７】  図６本体が袋を挟んで、釘針が袋面に直角に突き刺さる時、釘針座面、袋面、及び、バネ受台上面がそれぞれ平行な状態の時の側面図。
【図８】  ハトメパンチ側面図。
【図９】  図８の本体の機構の機能を流用し、ハトメ押し台、及び、ハトメ乗せ台等の代りに、請求項１に記載の数本のバネで囲われた釘針、及び、請求項２に記載のバネ受台等を設けた本体が開いた状態の側面図。
【図１０】  図９本体が袋を挟んで、釘針が袋面に直角に突き刺さる時、釘針座面、袋面、及び、バネ受台上面がそれぞれ平行な状態の時の側面図。
【符号の説明】
【００１０】  １…ステープラ本体のハンドル部分、２…ステープラ本体のベース部分、３…つづり針、４…押刃、５…針曲げ台、６…釘針、７…釘針座面、８…バネ、９…バネ受台、１０…バネ受台上面、１１…針針受穴、１２…バネ受溝、１３…袋、１４…指掛かり、１５…ハトメパンチ本体のハンドル、１６…ハトメ押し台、１７…ハトメ乗せ台、１８…フック掛けの付いた開き止め金具。
【図１】
2010280053.tif 000003
【図２】
2010280053.tif 000004
【図３】
2010280053.tif 000005
【図４】
2010280053.tif 000006
【図５】
2010280053.tif 000007
【図６】
2010280053.tif 000008
【図７】
2010280053.tif 000009
【図８】
2010280053.tif 000010
【図９】
2010280053.tif 000011
【図１０】
2010280053.tif 000012
【手続補正書】
【提出日】平成22年1月21日(2010.1.21)
【手続補正１】
【補正対象書類名】特許請求の範囲
【補正対象項目名】請求項１
【補正方法】変更
【補正の内容】
【請求項１】
てこの原理を用いて、物を挟んだり、切ったり、穴を開けたり、押えたり、止めたりする事を目的とする道具で、その本体の機構に、その力点（以下、ハンドルと称す。）を押して離したら、その反作用で自動的に元に戻るバネの原理を用いた機構を持つハンディーな道具の第三種てこを用いた物（その内の一例である手持ち式ステープラ。）、及び、第一種てこを用いた物（その内の一例であるハトメパンチ。）等のそれらの本体の機構のその機能を流用し、それらの作用点（手持ち式ステープラの場合は、支点から最も離れた所にあるつづり針を押し出す押刃、又、ハトメパンちの場合は、ハトメ押し台等の代り。）に、それらの本体のハンドルを１回押す事で、その袋に数ヶ所の水切り穴を開ける事が出来るる、数本の同じ長さの先端を鋭く尖らせた釘に、釘が袋に突き刺した時、袋の破断面と釘面の接触面を少なくして摩擦抵抗を小さくする為に、釘の周囲の面に、釘にそった多くの細い溝（以下、これを釘溝と称す。）を設けた釘の先の部分（以下、これを釘針と称す。）を取付け面（以下、釘針座面と称す。）に直角に、又は、釘針が袋面に突き刺さる時の釘針全体の抵抗を時間的に分散し、より小さい力で釘針が袋面に突き刺さるようにする為に、数本の釘針の内の一部の釘針を数ミリ短くして設け、その釘針の周囲には、釘針の先端よりもわずかに長いバネを設け（手持ち式ステープラの場合は、そのバネの代りに、ハンドルとベースの間、ハトメパンチの場合は、ハトメ押し台とハトメ受け台の間等に、釘針の通る穴を設けた袋押え、及び、袋外しの為のバネの原理を用いた板バネを設けても同じ機能を果たす。）、そのバネは、先端が鋭く尖った釘針の安全性を確保する為のカバーの機能を持ち、又、それらのハンドルを押して釘針が袋面に突き刺さる直前に、釘針が突き刺さる袋面の周囲を事前にバネの端部で、直接、押え付けて、袋面がずれない状態にし、その結果、釘針が袋面に直角に突き刺さる時、バネの先端で、直接、押えた内側の袋面部分に張りを持たせた状態で突き刺す事が出来て、袋面に水切り穴が開いた後に、ふさがりにくい、有効性が持続する水切り穴を開ける事が出来る状態にする機能をも持ち、更に、その張りを持った袋面部分に釘針が直角に突き刺して、それらのハンドルから手を離した時に、釘針に刺さった袋面をバネの反作用で自動的に釘針から押し出す機能で、袋面が釘針に残ったり、引っ掛かったりする事なく、袋面が釘針から自動的に外れ、次に、一方の片手に袋を持ち、もう一方の片手でそれらの本体を持ったまま、それらを横移動し、又、それらのハンドルを押して水切り穴を開け、そして離し、又、それらを横移動する一連の反復動作で、ふさがりにくい、有効性が持続する水切り穴をハンディーに、簡単、円滑、且つ、迅速に、袋の好きな所に、好きな数だけ開ける事が出来る機能を持った水切り袋作製用穴開け機。
【手続補正書】
【提出日】平成22年8月21日(2010.8.21)
【手続補正１】
【補正対象書類名】特許請求の範囲
【補正対象項目名】全文
【補正方法】変更
【補正の内容】
【特許請求の範囲】
【請求項１】
第三種、第一種、及び、第二種等のてこの原理を用いた機構のハンディ−な本体で、それらの本体の機構を、力点（以下、ハンドルと称す。）を押して、離したら、元に戻る機能の機構を持った本体とし、それらの本体の作用点に、数本の同じ長さの先端を鋭く尖らせた釘の先の部分（以下、釘針と称す。）、又は、数本の釘針の内の一部を数ミリ短くした釘針等を、それらの作用点の取付け面（以下、釘針座面と称す。）に直角に設け、更に、それらの釘針の周囲には、釘針の先端よりもわずかに長いバネを、又は、それらの作用点と相対する反作用点との間に、それらの作用点に設けた釘針が通る穴のある板バネを設けた水切り袋作製用穴開け機。
【請求項２】
請求項１に記載のそれらの作用点に相対した反作用点に、請求項１に記載のバネの端部を受け入れる浅い溝のバネ受溝、及び、押されたバネから露出した釘針を受け入れるバネ受溝底よりもわずかに高い所に上面のある釘針受穴を持つバネ受台を、釘針の先端が袋面に突き刺さる時、釘針座面、袋面、、釘針受穴上面、及び、バネ受台上面とも、それぞれ平行になるように設け、更に、第三種てこの原理を用いた本体には、バネ受台の下側に、フック掛けを兼ねた指先の入る穴、もしくは、指先が引っ掛かる指掛かりを設け、又、第一種てこの原理を用いた本体には、その不使用時に、ハンドルが開くのを防ぐフック掛けのある開き止め金具を設けた請求項１に記載の水切り袋作製用穴開け機。
【請求項３】
請求項１に記載のバネには、バネの長さの半分よりも少し長い、釘針が通る穴のあるおおいを、バネの先端に設け、又、その端部とわずか噛み合うようにその端部を受け入れた、バネの長さの半分よりも少し長い、バネ全体の根元を囲うおおいを、釘針座面に設け、更に、請求項２に記載のバネ受溝の代りに、バネの端部に設けたおおいの先端部分を受け入れるその形をした浅い穴を、バネ受台の上面に設けた請求項１、及び、２に記載の水切り袋作製用穴開け機。
【請求項４】
請求項１に記載のそれらのハンディ−な本体のハンドルを押して、請求項１に記載の数本のバネで囲われた釘針が、請求項２に記載のバネ受台の上の袋面を突き刺して、押されたバネが一番短くなった時、電池が組込まれた電子音の鳴る装置のスイッチが入り、装置の回路がつながり、通電して、電子音の擬音が鳴る装置を設けた請求項１、２、及び、３に記載の水切り袋作製用穴開け機。
【手続補正２】
【補正対象書類名】明細書
【補正対象項目名】全文
【補正方法】変更
【補正の内容】
【発明の詳細な説明】
【技術分野】
【０００１】  本発明は、家庭の台所で発生する生ゴミを捨てる際に、他の目的で使用して使用済みになった廃棄される袋（例、ス−パ−等のビニ−ル袋や、ポリ袋等。）を再利用し、その袋の底に水を通す穴を開けて、その生ゴミを入れ、溜めて置いて、その生ゴミの水を切る為の袋を作製する水切り袋作製用穴開け機に関する。
【背景技術】
【０００２】  従来、家庭の台所の生ゴミの水を切るには、市販されている水切り籠や水切り袋を使用したり、又、他の目的で使用して、使用済みになった廃棄される袋を再利用し、その袋の底に竹串や爪楊枝等を刺し、水切り穴を開けて水切り袋を作成し、それを使用していた。【０００３】  上記の方法は、非経済的、非合理的、非能率的、非簡便的であり、それらを解決しようと幾つかの発明が成された。
【特許文献１】特開平９−１０３９９８公報
【特許文献２】特開２００１−１２１４９４公報
【特許文献３】特開２００１−１９８８９１公報
【特許文献４】特開２００６−７４０６公報
【特許文献５】実用新案登録第３０５６７７９号公報
【特許文献６】特開２０００−１５３４９９公報
【特許文献７】実全平０２−０２４０００公報
【特許文献８】実用新案登録第３０２４８１７号公報
【特許文献９】実開平０６−０１７９２６公報
【特許文献１０】実開平０２−０２３９９９公報
【特許文献１１】実全昭６０−０９７３００公報
【発明の開示】
【発明が解決しようとする課題】
【０００４】  上記の幾つかの成された発明は、ハンディ−性、安全性、簡便性、円滑性、迅速性、コンパクト性、収納性、及び、水切り穴の有効性の持続等のいずれかの点において、それぞれ難点や問題点が有り、本発明は、それらの点を解決する事を目的とする水切り袋作製用穴開け機である。
【課題を解決するための手段】
【０００５】  本発明は、上記の目的を達成する為に、下記の方法にて、それらの難点や問題点を解決する。【０００６】  請求項１に記載のハンディ−な本体で、第三種てこの原理を用いた機構とした場合、その代表的な例として、手持式ステ−プラ本体の機構の機能を流用して説明する。【０００７】  本体の支点から最も離れた所にあり、作用点であるつづり針を押し出す押刃の代りに、請求項１に記載の数本のバネで囲われた釘針を、又は、請求項３に記載のおおいの付いた釘針等を設け、更に、それに相対する反作用点であるベ−ス部分の針曲げ台の代りに、請求項２、又は、３に記載のバネ受台を設け、それらの関係を、請求項１、２、及び、３に記載の状態を成り立たせるように設けた機構からなる水切り袋作製用穴開け機である。【０００８】  請求項１に記載のハンディ−な本体で、第一種てこの原理を用いた機構とした場合、その代表的な例として、手持式ハトメパンチ本体の機構の機能を流用して説明する。【０００９】  作用点であるハトメ押し台の代りに、請求項１に記載の数本のバネで囲われた釘針を、【０００８】  請求項１に記載のハンディ−な本体で、第一種てこの原理を用いた機構とした場合、その代表的な例として、手持式ハトメパンチ本体の機構の機能を流用して説明する。【０００９】  作用点であるハトメ押し台の代りに、請求項１に記載の数本のバネで囲われた釘針を、又は、請求項３に記載のおおいの付いた釘針等を設け、更に、それに相対する反作用点であるハトメ乗せ台の代りに、請求項２、又は、３に記載のバネ受台を設け、それらの関係を、請求項１、２、及び、３に記載の状態を成り立たせるように設けた機構からなる水切り袋作製用穴開け機である。【００１０】  第二種てこの原理を用いた機構の本体とした場合、その代表的な例として、少しハンディ−性に欠けるが、卓上式ステ−プラ本体の機構の機能を流用して説明する。【００１１】  力点より支点に近い所にあり、作用点であるつづり針を押し出す押刃の代りに、請求項１に記載の数本のバネで囲われた釘針を、又は、請求項３に記載のおおいの付いた釘針等を設け、更に、それに相対する反作用点であるベ−ス部分の針曲げ台の代りに、請求項２、又は、３に記載のバネ受台を設け、それらの関係を、請求項１、２、及び、３に記載の状態を成り立たせるように設けた機構からなる水切り袋作製用穴開け機である。【００１２】  又、請求項４の電子音の鳴る装置として、それらの本体のハンドルの内側内部に、電池、及び、ブザ−を組込み、押されたバネが一番短くなった時、釘針の内の一本が、その釘針受穴に設けられた電極に接する事で、その電子音が鳴る装置のスイッチが入り、装置の回路がつながり、通電して、電子音が鳴る回路を設けた水切り袋作製用穴開け機である。
【発明の効果】
【００１３】  請求項１、及び、２に記載の本体で、ハンドルが自動的に元に戻る機能の機構を持ったハンディ−な本体の作用点に、釘針の先端よりもわずかに長いバネで囲われた数本の釘針を設け、更に、それに相対する反作用点に設けた、バネ受溝、及び、その低部より高い所に上面のある釘針受穴を持ったバネ受台に袋面を乗せ、釘針が、袋面を直角に突き刺す機構にした事で、以下の効果が生じる。【００１４】  ハンドルが自動的に元に戻るハンディ−な本体は、片手に袋を持ち、もう一方の片手に本体を持ったまま、ハンドルを押して、離して、横移動する反復動作の穴開け作業を、釘針に設けたバネの効果と相乗して、簡単、円滑、且つ、迅速に、袋面の底の好きな所に、好きな数だけの穴を開ける事が出来る。【００１５】  釘針の周囲に設けた釘針の先端よりもわずかに長いバネは、鋭く尖った釘針からの安全性を確保するカバ−になり、又、本体のハンドルを押した時、釘針の先端よりもわずかに長いバネは、張力の大きい袋面を釘針が直角に突き刺す直前に、バネの端部で、袋面を直接押さえ付け、袋面を挟み込んで、バネ受溝にはまり、袋面も、バネも、ずれたり、滑ったりする事がなく、更に、バネ受溝底よりも釘針受穴上面を高くした事により、袋面に張りを持たせた状態にした所に、鋭く尖った釘針を直角に突き刺す事が出来、そして、その釘針が袋面に直角に突き刺さる事により、釘針が、袋の破断面を均等な力で、刺し広げる事となり、それらの事が相乗し、その結果、その開けられた穴は、ふさがりにくい、有効性が持続する、水切れの良い水切り穴を開ける事が出来る。【００１６】  釘針の周囲に設けた釘針の先端よりもわずかに長いバネは、又、釘針が袋面に突き刺さり、穴が開いた後、本体のハンドルを離す事で、押されたバネは、その反作用で、釘針に突き刺さった袋面を、直接、自動的に釘針から押出し、袋面が釘針に残ったり、引っ掛かったりする事なく、釘針から外れ、片手で持った本体を容易に横移動して、穴開け行為の反復動作を、ハンディ−な本体と相乗して、簡単、円滑、且つ、迅速にする事が出来る。【００１７】  請求項２に記載のフック掛けを兼ねた指掛かり、フック掛けのある開き止め金具等、及び、ハンディ−な本体は、収納性を大変良くする事が出来る。【００１８】  請求項３に記載のバネの先端に設けたおおいと、釘針座面に設けたおおいは、釘針やバネを隠蔽してより安全性を高め、又、バネに、ほこりや油の付着を防止する事が出来る。【００１９】  請求項４に記載の電子音が鳴る装置は、押されたバネが一番短くなった事を知らせてくれ、それは同時に、有効性のある水切り穴が開き終った事を知らせてくれる事であり、又、それは、単純な反復動作の穴開け作業を、楽しくする事が出来る。
【発明を実施するための最良の形態】
【００２０】  請求項１に記載のハンディ−な本体で、第三種てこ、及び、第一種てこの原理を用いた機構のそれらの代表的な例として、手持式ステ−プラ図１、及び、手持式ハトメパンチ図８等の本体の機構の機能を流用し、図１から図１２を使用して説明する。【００２１】  手持式ステ−プラの押刃４、及び、手持式ハトメパンチのハトメ押し台１６等の代りに、請求項１、又は、３に記載図１１等の数本のバネ８で囲われた釘針６をそれらに設け、更に、それらの針曲げ台５、及び、ハトメ乗せ台１７等の代りに、請求項２、又は、３に記載のバネ受溝１２、及び、釘針受穴１１のあるバネ受台９を設け、そのバネ受台９上の袋面１３を、バネ８、又は、図１１のおおいの端部が押え付けて、釘針６がその袋面１３に直角に突き刺さる時に、釘針座面７、袋面１３、釘針受穴上面、バネ受溝底面、及び、バネ受台上面１０等がそれぞれ平行になるように設けた機構とする。【００２２】  又、手持式ステ−プラ本体には、請求項２に記載のフック掛けを兼ねた指掛かりの穴１４を、及び、手持式ハトメパンチ本体には、フック掛けのある開き止め金具１８を設けた機構とする。【００２３】  更に、それらのハンドルの内側内部に、請求項４に記載の電子音の鳴る回路図１２を持った装置を組込んだ機構からなる水切り袋作製用穴開けきとする。
【図面の簡単な説明】
【００２４】
【図１】手持ち式ステ−プラ斜視図（ＪＩＳ  Ｓ  ６０３５より引用。）。
【図２】図１の本体の機構の機能を流用し、押刃、及び、針曲げ台等の代りに、請求項１に記載の数本のバネで囲われた釘針、及び、請求項２に記載のバネ受台等を設け、支点、作用点、及び、反作用点の位置関係により、釘針が袋面に直角に突き刺さる時、釘針座面とバネ受台上面が平行になる為に、バネ受台に角度を設けた本体が開いた状態の全体斜視図。
【図３】図２の請求項１に記載の数本のバネで囲われた釘針部分と請求項２に記載のバネ受台部分の拡大斜視図。
【図４】図２の釘針全体の抵抗を時間的に分散する為に、釘針の長さに違いを設けて本体が開いた状態の側面図。
【図５】図４本体が袋を挟んで、釘針が袋面に直角に突き刺さる時、釘針座面、袋面、及び、バネ受台上面がそれぞれ平行な状態の時の側面図。
【図６】釘針が袋面に直角に突き刺さる時、釘針座面とバネ受台上面が平行になる為に、バネ受台に角度を設けないで、支点、作用点、及び、反作用点の位置関係を変えた本体が開いた状態の側面図。
【図７】図６本体が袋を挟んで、釘針が袋面に直角に突き刺さる時、釘針座面、袋面、及び、バネ受台上面がそれぞれ平行な状態の時の側面図。
【図８】手持式ハトメパンチ側面図。
【図９】図８の本体の機構の機能を流用し、ハトメ押し台、及び、ハトメ乗せ台等の代りに、請求項１に記載の数本のバネで囲われた釘針、及び、請求項２に記載のバネ受台等を設けた本体が開いた状態の側面図。
【図１０】図９本体が袋を挟んで、釘針が袋面に直角に突き刺さる時、釘針座面、袋面、及び、バネ受台上面がそれぞれ平行な状態の時の側面図。
【図１１】バネの先端部に設けたおおい、及び、釘針座面に設けたバネ全体の根元を囲うおおいの断面図。
【図１２】電子音の鳴る装置の回路図。
【符号の説明】
【００２５】  １…ステ−プラ本体のハンドル部分、２…ステ−プラ本体のベ−ス部分、３…つづり針、４…押刃、５…針曲げ台、６…釘針、７…釘針座面、８…バネ、９…バネ受台、１０…バネ受台上面、１１…釘針受穴、１２…バネ受溝、１３…袋、１４…指掛かり、１５…ハトメパンチ本体のハンドル、１６…ハトメ押し台、１７…ハトメ乗せ台、１８…フック掛けのある開き止め金具、１９…バネの先端に設けたおおい、２０…釘針座面に設けたおおい、２１…電池、２２…電子音の鳴るブザ−、２３…スイッチ。
【手続補正３】
【補正対象書類名】図面
【補正対象項目名】全図
【補正方法】変更
【補正の内容】
【図１】
2010280053.tif 000013
【図２】
2010280053.tif 000014
【図３】
2010280053.tif 000015
【図４】
2010280053.tif 000016
【図５】
2010280053.tif 000017
【図６】
2010280053.tif 000018
【図７】
2010280053.tif 000019
【図８】
2010280053.tif 000020
【図９】
2010280053.tif 000021
【図１０】
2010280053.tif 000022
【図１１】
2010280053.tif 000023
【図１２】
2010280053.tif 000024